(57)【要約】      （修正有）【課題】手指への装着が容易な嵌装部材を備える口腔ケア具を提供する。【解決手段】口腔ケア具１は、嵌装部材１０を備えている。嵌装部材１０は、歯を磨くための歯磨き部を有し、手指に嵌装される。嵌装部材１０は、筒状に成形されている。これにより、嵌装部材においては、使用前から中空の状態（嵌装部材の内側面どうしが接触しない状態）が維持される。このため、嵌装部材が潰れている場合に比して、嵌装部材を手指に装着しやすくなる。【選択図】図１
2017127655.tif 000002
【特許請求の範囲】
【請求項１】
歯を磨くための歯磨き部を有し、手指に嵌装される嵌装部材を備え、
前記嵌装部材は、筒状に成形されていることを特徴とする口腔ケア具。
【請求項２】
請求項１に記載の口腔ケア具において、
前記歯磨き部は、吸水性を有する口腔ケア具。
【請求項３】
請求項１又は２に記載の口腔ケア具において、
前記嵌装部材は、伸縮性を有する口腔ケア具。
【請求項４】
請求項３に記載の口腔ケア具において、
前記嵌装部材の周方向の伸縮率は、１２０％以上である口腔ケア具。
【請求項５】
請求項３又は４に記載の口腔ケア具において、
前記嵌装部材の高さ方向の伸縮率は、１２０％以上である口腔ケア具。
【請求項６】
請求項１乃至５の何れかに記載の口腔ケア具において、
前記歯磨き部には、口腔用の薬剤が予め含浸又は付着している口腔ケア具。
【請求項７】
請求項１乃至６の何れかに記載の口腔ケア具において、
前記嵌装部材は、先端部が閉塞された筒状をしている口腔ケア具。
【請求項８】
請求項１乃至７の何れかに記載の口腔ケア具において、
前記歯磨き部は、前記嵌装部材の外面に設けられている口腔ケア具。
【請求項９】
請求項８に記載の口腔ケア具において、
前記歯磨き部の摩擦係数は、前記嵌装部材の内面の摩擦係数よりも大きい口腔ケア具。
【請求項１０】
請求項８又は９に記載の口腔ケア具において、
前記歯磨き部の表面粗さは、前記嵌装部材の内面の表面粗さよりも大きい口腔ケア具。
【請求項１１】
請求項８乃至１０の何れかに記載の口腔ケア具において、
前記歯磨き部は、前記嵌装部材の前記外面の一部にのみ設けられている口腔ケア具。
【請求項１２】
請求項１１に記載の口腔ケア具において、
前記歯磨き部の摩擦係数は、前記嵌装部材の前記外面における当該歯磨き部以外の部分の摩擦係数よりも大きい口腔ケア具。
【請求項１３】
請求項１１又は１２に記載の口腔ケア具において、
前記歯磨き部の表面粗さは、前記嵌装部材の前記外面における当該歯磨き部以外の部分の表面粗さよりも大きい口腔ケア具。
【請求項１４】
請求項１乃至１３の何れかに記載の口腔ケア具において、
前記歯磨き部は、前記嵌装部材の内面に設けられており、
前記嵌装部材は、裏返した状態で前記手指に嵌装することが可能である口腔ケア具。
【請求項１５】
請求項１乃至１４の何れかに記載の口腔ケア具において、
前記嵌装部材は、当該嵌装部材の外面又は内面の一方を構成する第１の層と、当該嵌装部材の前記外面又は前記内面の他方を構成する第２の層とを有する口腔ケア具。
【請求項１６】
請求項１５に記載の口腔ケア具において、
前記第１の層は、吸水性を有し、
前記第２の層は、防水性を有する口腔ケア具。
【請求項１７】
請求項１乃至１６の何れかに記載の口腔ケア具において、
前記嵌装部材は、型押し成形により筒状に成形されている口腔ケア具。
【請求項１８】
請求項１乃至１７の何れかに記載の口腔ケア具において、
複数の前記嵌装部材を備える口腔ケア具。
【請求項１９】
請求項１８に記載の口腔ケア具において、
前記複数の嵌装部材は、親指に嵌装される前記嵌装部材である第１の嵌装部材と、人差指に嵌装される前記嵌装部材である第２の嵌装部材とを含む口腔ケア具。
【請求項２０】
請求項１９に記載の口腔ケア具において、
前記第２の嵌装部材の高さは、前記第１の嵌装部材の高さよりも大きい口腔ケア具。
【請求項２１】
請求項１９又は２０に記載の口腔ケア具において、
前記第２の嵌装部材の径は、前記第１の嵌装部材の径よりも小さい口腔ケア具。
【請求項２２】
請求項１９乃至２１の何れかに記載の口腔ケア具において、
前記第１及び第２の嵌装部材は、別体に設けられている口腔ケア具。
【請求項２３】
請求項１９乃至２１の何れかに記載の口腔ケア具において、
前記第１及び第２の嵌装部材は、一体に設けられている口腔ケア具。
【請求項２４】
請求項１乃至２３の何れかに記載の口腔ケア具において、
口腔用の薬剤と前記嵌装部材とが収容された袋体を備える口腔ケア具。
【請求項２５】
請求項２４に記載の口腔ケア具において、
前記袋体は、繰り返し開閉可能である口腔ケア具。
【請求項２６】
請求項２５に記載の口腔ケア具において、
前記袋体は、ジッパーを有する口腔ケア具。
【発明の詳細な説明】
【技術分野】
【０００１】
本発明は、口腔のケアに用いられる口腔ケア具に関する。
【背景技術】
【０００２】
従来の口腔ケア具としては、例えば特許文献１に記載されたものがある。同文献に記載された口腔ケア具は、手指に装着される鞘部（嵌装部材）を備えている。鞘部の後端には、手指の挿入口となる開口が設けられている。この口腔ケア具においては、手指が挿入された鞘部で歯や歯肉を擦ることにより、口腔内の清掃が行われる。
【先行技術文献】
【特許文献】
【０００３】
【特許文献１】特開２００５−３３４０６５号公報
【発明の概要】
【発明が解決しようとする課題】
【０００４】
しかしながら、鞘部は、２枚の生地の外縁どうしを貼り合わせることにより形成されている。それゆえ、鞘部は、使用前すなわち手指が挿入される前、潰れた状態（鞘部の内側面どうしが接触した状態）にある。このように鞘部が潰れている場合、そのままの状態では手指を挿入することができないため、手指への装着がしにくいという問題がある。
【０００５】
本発明は、上記課題に鑑みてなされたものであり、手指への装着が容易な嵌装部材を備える口腔ケア具を提供することを目的とする。
【課題を解決するための手段】
【０００６】
本発明による口腔ケア具は、歯を磨くための歯磨き部を有し、手指に嵌装される嵌装部材を備え、上記嵌装部材は、筒状に成形されていることを特徴とする。
【０００７】
この口腔ケア具においては、歯磨き部を有する嵌装部材が設けられている。嵌装部材を手指に嵌めて歯磨き部で歯を擦ることにより、歯磨きを行うことができる。しかも、嵌装部材は、筒状に成形されている。これにより、嵌装部材においては、使用前から中空の状態（嵌装部材の内側面どうしが接触しない状態）が維持される。このため、嵌装部材が潰れている場合に比して、嵌装部材を手指に装着しやすくなる。
【発明の効果】
【０００８】
本発明によれば、手指への装着が容易な嵌装部材を備える口腔ケア具が実現される。
【図面の簡単な説明】
【０００９】
【図１】本発明による口腔ケア具の第１実施形態を示す斜視図である。
【図２】嵌装部材の周方向の伸縮率について説明するための図である。
【図３】嵌装部材の高さ方向の伸縮率について説明するための図である。
【図４】図１のIV−IV線に沿った端面図である。
【図５】本発明による口腔ケア具の第２実施形態を示す斜視図である。
【図６】図５のVI−VI線に沿った端面図である。
【図７】本発明による口腔ケア具の第３実施形態を示す斜視図である。
【図８】図７のVIII−VIII線に沿った嵌装部材２０の端面図である。
【図９】図７のIX−IX線に沿った嵌装部材３０の端面図である。
【図１０】口腔ケア具の変形例を説明するための図である。
【図１１】嵌装部材の変形例を説明するための図である。
【図１２】図１１の嵌装部材が手指に嵌装された状態を示す斜視図である。
【図１３】嵌装部材２０及び嵌装部材３０の変形例を説明するための図である。
【発明を実施するための形態】
【００１０】
以下、図面を参照しつつ、本発明の実施形態について詳細に説明する。なお、図面の説明においては、同一要素には同一符号を付し、重複する説明を省略する。
（第１実施形態）
【００１１】
図１は、本発明による口腔ケア具の第１実施形態を示す斜視図である。口腔ケア具１は、口腔のケアに用いられる口腔ケア具であって、嵌装部材１０を備えている。
【００１２】
嵌装部材１０は、手指に嵌装される。嵌装部材１０は、筒状に成形されている。嵌装部材１０は、先端部１０ａが閉塞されるとともに後端部１０ｂが開放された筒状をしている。先端部１０ａは、嵌装部材１０の頂点を含む一定面積の領域であり、嵌装部材１０が手指に嵌装されているときに当該手指の指先を覆う。後端部１０ｂは、手指の挿入口となる環状の部分である。
【００１３】
嵌装部材１０においては、手指に嵌装されているとき及び嵌装されていないときの双方において、中空の状態が自立的に維持される。かかる嵌装部材１０の成形は、例えば、型押し成形、マッチドモールド成形、プレス成形等により行うことができる。
【００１４】
嵌装部材１０は、伸縮性を有している。嵌装部材１０の周方向の伸縮率は、１２０％以上であることが好ましい。ここで、嵌装部材１０の周方向の伸縮率は、図２に示すように、嵌装部材１０の最大周長Ｌ１の自然周長Ｌ０に対する割合として定義される。同図は、嵌装部材１０を先端部１０ａの側から見た図である。自然周長Ｌ０は、嵌装部材１０が力を受けていない状態での周長に等しい。最大周長Ｌ１は、嵌装部材１０を径方向に弾性限度まで拡張したときの周長に等しい。
【００１５】
また、嵌装部材１０の高さ方向の伸縮率も、１２０％以上であることが好ましい。ここで、嵌装部材１０の高さ方向の伸縮率は、図３に示すように、嵌装部材１０の最大高Ｈ１の自然高Ｈ０に対する割合として定義される。同図は、嵌装部材１０を径方向から見た図である。自然高Ｈ０は、嵌装部材１０が力を受けていない状態での高さに等しい。最大高Ｈ１は、嵌装部材１０を高さ方向に弾性限度まで拡張したときの高さに等しい。
【００１６】
図４は、図１のIV−IV線に沿った端面図である。嵌装部材１０は、吸水層１２（第１の層）及び防水層１４（第２の層）からなる。吸水層１２は、嵌装部材１０の外面を構成している。吸水層１２は、嵌装部材１０の外面の全体にわたって設けられている。吸水層１２は、吸水性を有している。吸水層１２には、口腔用の薬剤（図示せず）が予め含浸又は付着している。本実施形態においては、液体状の薬剤（薬液）が吸水層１２に含浸している。液体状の薬剤としては、例えば、マウスウォッシュ（洗口液）、液体歯磨き等が挙げられる。
【００１７】
吸水層１２は、歯を磨くための歯磨き部として機能する。すなわち、本実施形態においては、嵌装部材１０の外面の全体に歯磨き部が設けられている。ただし、歯ブラシと異なり、嵌装部材１０にブラシは設けられていない。吸水層１２の摩擦係数は、嵌装部材１０の内面（防水層１４）の摩擦係数よりも大きい。吸水層１２の表面粗さ（Ｒａ）は、嵌装部材１０の内面の表面粗さよりも大きい。吸水層１２には、凹凸が形成されていることが好ましい。また、吸水層１２は、防水層１４よりも柔らかい材料からなることが好ましい。吸水層１２としては、例えば、伸縮性を有する不織布シートを用いることができる。
【００１８】
防水層１４は、嵌装部材１０の内面を構成している。防水層１４は、嵌装部材１０の内面の全体にわたって設けられている。防水層１４は、防水性を有しており、薬剤を透過させたり吸収したりしない。防水層１４としては、例えば、伸縮性を有するプラスチックシートないしプラスチックフィルムを用いることができる。
【００１９】
口腔ケア具１の効果を説明する。口腔ケア具１においては、歯磨き部を有する嵌装部材１０が設けられている。嵌装部材１０を手指（例えば人差指）に嵌めて歯磨き部で歯を擦ることにより、歯磨きを行うことができる。しかも、嵌装部材１０は、筒状に成形されている。これにより、嵌装部材１０においては、使用前から中空の状態が維持される。このため、嵌装部材１０が潰れている場合に比して、嵌装部材１０を手指に装着しやすくなる。したがって、手指への装着が容易な嵌装部材１０を備える口腔ケア具１が実現されている。
【００２０】
嵌装部材１０は、筒状をしている。かかる形状の嵌装部材１０は、手指にフィットさせやすいという利点がある。特に嵌装部材１０は、先端部１０ａが閉塞されている。これにより、指先が先端部１０ａで覆われることになる。このため、歯磨き部で歯を磨く際、当該指先が口内に触れるのを防ぐことができ、衛生的である。
【００２１】
歯磨き部（吸水層１２）は、吸水性を有している。この場合、歯磨き部に薬剤が含浸した状態で歯を磨くことができるため、歯磨き効果を高めることができる。特に歯磨き部には、薬剤が予め含浸している。これにより、薬剤を別途用意しなくても、歯磨き部に薬剤が含浸した状態で歯を磨くことができる。ただし、歯磨き部が吸水性を有することは、必須でない。
【００２２】
嵌装部材１０は、伸縮性を有している。このため、手指に対して嵌装部材１０を一層フィットさせやすくなる。特に嵌装部材１０が周方向に伸縮性を有することにより、異なる太さを有する手指に対して嵌装部材１０をフィットさせやすくなる。また、嵌装部材１０が高さ方向に伸縮性を有することにより、異なる長さを有する手指に対して嵌装部材１０をフィットさせやすくなる。ただし、嵌装部材１０が伸縮性を有することは、必須でない。
【００２３】
歯磨き部（吸水層１２）の摩擦係数は、嵌装部材１０の内面（防水層１４）の摩擦係数よりも大きい。このように歯磨き部の摩擦係数を大きくすることにより、歯磨き効果を高めることができる。ただし、歯磨き部の摩擦係数を嵌装部材１０の内面のそれよりも大きくすることは、必須でない。  
【００２４】
歯磨き部の表面粗さは、嵌装部材１０の内面の表面粗さよりも大きい。このように歯磨き部の表面粗さを大きくすることによっても、歯磨き効果を高めることができる。ただし、歯磨き部の表面粗さを嵌装部材１０の内面のそれよりも大きくすることは、必須でない。
【００２５】
嵌装部材１０は、吸水層１２及び防水層１４を有している。このように嵌装部材１０の外面を構成する層と内面を構成する層とを別々に設けることにより、各層の機能に応じて最適な材料を選択しやすくなる。例えば、吸水層１２には歯磨きに適した材料を用いる一方で、防水層１４には防水に適した材料を用いることができる。
【００２６】
防水層１４は、防水性を有している。この場合、嵌装部材１０の外面から内面に薬剤が浸透するのを確実に阻止することができる。これにより、歯磨き部で歯を磨く際、嵌装部材１０が嵌装された手指に薬剤が付着するのを防ぐことができる。
（第２実施形態）
【００２７】
図５は、本発明による口腔ケア具の第２実施形態を示す斜視図である。口腔ケア具２は、口腔のケアに用いられる口腔ケア具であって、嵌装部材１０を備えている。
【００２８】
図６は、図５のVI−VI線に沿った端面図である。嵌装部材１０は、吸水層１２及び防水層１４からなる。本実施形態において吸水層１２は、防水層１４の一部にのみ積層されている。このように、歯磨き部（吸水層１２）は、嵌装部材１０の外面の一部にのみ設けられている。
【００２９】
吸水層１２は、嵌装部材１０の後端部１０ｂよりも先端部１０ａ寄りに設けられている。すなわち、吸水層１２から先端部１０ａまでの距離の方が、吸水層１２から後端部１０ｂまでの距離よりも短い。吸水層１２は、嵌装部材１０の先端部１０ａまで達する一方で、後端部１０ｂには達しないように設けられている。すなわち、吸水層１２は、後端部１０ｂを避けるようにして、嵌装部材１０の外面の一部にのみ設けられている。
【００３０】
嵌装部材１０の外面における吸水層１２以外の部分には、防水層１４が露出している。すなわち、防水層１４の一方の面は嵌装部材１０の内面を構成し、防水層１４の他方の面の一部（吸水層１２が積層されていない部分）は、吸水層１２と共に、嵌装部材１０の外面を構成している。吸水層１２の摩擦係数は、嵌装部材１０の外面における吸水層１２以外の部分（防水層１４が露出している部分）の摩擦係数よりも大きい。また、吸水層１２の表面粗さは、嵌装部材１０の外面における上記部分の表面粗さよりも大きい。嵌装部材１０のその他の構成は、第１実施形態で説明したとおりである。
【００３１】
口腔ケア具２の効果を説明する。歯磨き部（吸水層１２）は、嵌装部材１０の外面の一部にのみ設けられている。これにより、歯磨き部を触ることなく、嵌装部材１０を手指に嵌装しやすくなる。つまり、嵌装部材１０を一方の手の指に被せる際、嵌装部材１０の外面における吸水層１２以外の部分を他方の手で持つことにより、当該他方の手が歯磨き部に触れてしまうのを回避することができる。このように歯磨き部に手が触れないことは、衛生上の観点から好ましい。
【００３２】
吸水層１２は、嵌装部材１０の後端部１０ｂよりも先端部１０ａ寄りに設けられている。このため、吸水層１２が後端部１０ｂ寄りに設けられている場合に比して、嵌装部材１０を口内に浅く入れた状態で歯を磨くことができる。嵌装部材１０の後端部１０ｂ付近は、嵌装部材１０を手指に嵌装する際に手が触れる部分である。それゆえ、衛生上の観点から、嵌装部材１０を口内に深く入れすぎないようにすることが好ましい。
【００３３】
吸水層１２は、嵌装部材１０の先端部１０ａまで達するように設けられている。このため、嵌装部材１０の先端部１０ａ付近でも歯を磨くことができる。これにより、嵌装部材１０が口内に深く入りすぎるのを一層防ぎやすくなる。
【００３４】
歯磨き部（吸水層１２）の摩擦係数は、嵌装部材１０の外面における歯磨き部以外の部分の摩擦係数よりも大きい。このように歯磨き部の摩擦係数を大きくすることにより、歯磨き効果を高めることができる。
【００３５】
歯磨き部の表面粗さは、嵌装部材１０の外面における歯磨き部以外の部分の表面粗さよりも大きい。このように歯磨き部の表面粗さを大きくすることによっても、歯磨き効果を高めることができる。口腔ケア具２のその他の効果は、口腔ケア具１と同様である。
（第３実施形態）
【００３６】
図７は、本発明による口腔ケア具の第３実施形態を示す斜視図である。口腔ケア具３は、口腔のケアに用いられる口腔ケア具であって、複数の嵌装部材を備えている。複数の嵌装部材は、嵌装部材２０（第１の嵌装部材）及び嵌装部材３０（第２の嵌装部材）を含んでいる。本実施形態において嵌装部材２０及び嵌装部材３０は、別体に設けられている。
【００３７】
嵌装部材２０は、親指に嵌装される。嵌装部材２０は、筒状に成形されている。嵌装部材２０は、先端部２０ａが閉塞されるとともに後端部２０ｂが開放された筒状をしている。嵌装部材２０においては、親指に嵌装されているとき及び嵌装されていないときの双方において、中空の状態が自立的に維持される。
【００３８】
嵌装部材２０の高さ（自然高）ｄ１は、例えば、３〜６ｃｍ程度である。また、嵌装部材２０の径ｄ２は、例えば、１．５〜２．５ｃｍ程度である。径ｄ２は、自然径、すなわち嵌装部材２０が力を受けていない状態での径である。
【００３９】
嵌装部材３０は、人差指に嵌装される。嵌装部材３０は、筒状に成形されている。嵌装部材３０は、先端部３０ａが閉塞されるとともに後端部３０ｂが開放された筒状をしている。嵌装部材３０においては、人差指に嵌装されているとき及び嵌装されていないときの双方において、中空の状態が自立的に維持される。
【００４０】
嵌装部材３０の高さ（自然高）ｄ３は、例えば、５〜８ｃｍ程度である。嵌装部材３０の高さｄ３は、嵌装部材２０の高さｄ１よりも大きい。また、嵌装部材３０の径（自然径）ｄ４は、例えば、１〜２ｃｍ程度である。嵌装部材３０の径ｄ４は、嵌装部材２０の径ｄ２よりも小さい。
【００４１】
図８は、図７のVIII−VIII線に沿った嵌装部材２０の端面図である。嵌装部材２０は、吸水層２２（第１の層）及び防水層２４（第２の層）からなる。吸水層２２は、嵌装部材２０の外面を構成している。吸水層２２は、吸水性を有している。吸水層２２には、口腔用の薬剤が予め含浸又は付着している。吸水層２２は、歯を磨くための歯磨き部として機能する。なお、図７及び図８においては吸水層２２が嵌装部材２０の外面の全体にわたって設けられているが、吸水層２２は、嵌装部材２０の外面の一部にのみ設けられてもよい。
【００４２】
防水層２４は、嵌装部材２０の内面を構成している。防水層２４は、嵌装部材２０の内面の全体にわたって設けられている。防水層２４は、防水性を有しており、薬剤を透過させたり吸収したりしない。
【００４３】
図９は、図７のIX−IX線に沿った嵌装部材３０の端面図である。嵌装部材３０は、吸水層３２（第１の層）及び防水層３４（第２の層）からなる。吸水層３２は、嵌装部材３０の外面を構成している。吸水層３２は、吸水性を有している。吸水層３２には、口腔用の薬剤が予め含浸又は付着している。吸水層３２は、歯を磨くための歯磨き部として機能する。なお、図７及び図９においては吸水層３２が嵌装部材３０の外面の全体にわたって設けられているが、吸水層３２は、嵌装部材３０の外面の一部にのみ設けられてもよい。
【００４４】
防水層３４は、嵌装部材３０の内面を構成している。防水層３４は、嵌装部材３０の内面の全体にわたって設けられている。防水層３４は、防水性を有しており、薬剤を透過させたり吸収したりしない。各嵌装部材２０，３０のその他の構成は、嵌装部材１０と同様である。
【００４５】
口腔ケア具３の効果を説明する。口腔ケア具３においては、複数の嵌装部材が設けられている。これにより、新しい嵌装部材を用いて複数回にわたって歯磨きを行うことができる。さらに、２つの嵌装部材を用いて２本の指で挟むようにして歯を磨くこともできるため、歯の表裏を磨きやすくなる。また、２本の指で同時に歯を磨くことができるため、歯磨きを効率良く行うことができる。
【００４６】
複数の嵌装部材は、親指に嵌装される嵌装部材２０と人差指に嵌装される嵌装部材３０とを含んでいる。このため、これらの嵌装部材２０及び嵌装部材３０を用いて親指と人差指とで挟むようにして歯を磨くことができる。このように親指及び人差指の組み合わせからなる２本の指を用いる場合、他の組み合わせからなる２本の指を用いる場合に比して、歯を磨きやすいという利点がある。
【００４７】
嵌装部材３０の高さｄ３は、嵌装部材２０の高さｄ１よりも大きい。この場合、親指及び人差指のそれぞれに対して嵌装部材２０及び嵌装部材３０をフィットさせやすくなる。すなわち、比較的小さい高さを有する嵌装部材２０を比較的短い指である親指に被せる一方で、比較的大きい高さを有する嵌装部材３０を比較的長い指である人差指に被せることにより、それぞれの指に嵌装部材２０及び嵌装部材３０をフィットさせやすくなる。
【００４８】
嵌装部材３０の径ｄ４は、嵌装部材２０の径ｄ２よりも小さい。この場合、親指及び人差指のそれぞれに対して嵌装部材２０及び嵌装部材３０をフィットさせやすくなる。すなわち、比較的大きい径を有する嵌装部材２０を比較的太い指である親指に被せる一方で、比較的小さい径を有する嵌装部材３０を比較的細い指である人差指に被せることにより、それぞれの指に嵌装部材２０及び嵌装部材３０をフィットさせやすくなる。
【００４９】
嵌装部材２０及び嵌装部材３０は、別体に設けられている。この場合、嵌装部材２０を親指に被せる作業と嵌装部材３０を人差指に被せる作業とを互いに独立して行うことができる。このため、各嵌装部材２０，３０を容易に装着することができる。口腔ケア具３のその他の効果は、口腔ケア具１，２と同様である。
【００５０】
本発明は、上記実施形態に限定されるものではなく、様々な変形が可能である。上記実施形態において口腔ケア具は、例えば図１０に示す袋体４０を備えていてもよい。袋体４０は、正面視で矩形をしている。袋体４０の長さｄ５は、例えば、５〜１０ｃｍ程度である。また、袋体４０の幅ｄ６は、例えば、３〜６ｃｍ程度である。ここで、長さｄ５は、袋体４０を平坦にした状態（後述する薬剤及び嵌装部材が収容されていない状態）における上端から下端までの距離として定義される。幅ｄ６も、同様の状態における左端から右端までの距離として定義される。
【００５１】
袋体４０には、口腔用の薬剤が収容されている。袋体４０は、薬剤が外に漏れないように密封されている。袋体４０の上端の近傍には、開封予定部４２が存在している。開封予定部４２は、袋体４０を開封する位置の目安となる部分である。開封予定部４２は、袋体４０の左端から右端まで延在している。開封予定部４２の端部には、袋体４０の開封を容易にするための切り口４３が形成されている。切り口４３の延長線上に開封予定部４２が存在する。
【００５２】
袋体４０は、繰り返し開閉可能である。ここで、繰り返し開閉可能とは、テープやクリップ等の道具を使用することなく、袋体４０が開封された状態と密封された状態とを交互に何度も切り替えられることをいう。袋体４０は、ジッパー４４を有している。ジッパー４４は、開封予定部４２に沿って、開封予定部４２の下側に設けられている。切り口４３から袋体４０を開封した後も、ジッパー４４を閉じることにより、袋体４０を再び密封することができる。袋体４０の材料としては、例えば、プラスチック又はアルミニウムを用いることができる。
【００５３】
袋体４０には、嵌装部材（嵌装部材１０又は嵌装部材２０，３０）も収容されている。薬剤と嵌装部材とは、袋体４０内の同一空間において、別々に収容されている。すなわち、薬剤の少なくとも一部は、嵌装部材から離れた状態で袋体４０内に存在している。
【００５４】
このように薬剤と嵌装部材とが袋体４０に収容されている場合、袋体４０から取り出した薬剤で口内を洗浄するとともに、嵌装部材で歯磨きを行うことができる。また、袋体４０は繰り返し開閉可能であるため、袋体４０から嵌装部材を取り出した後も、残りの薬剤を袋体４０に密閉状態で保管しておくことが容易となる。特に袋体４０はジッパー４４を有しているため、簡易な構造で、繰り返し開閉可能な袋体４０を実現することができる。
【００５５】
さらに、薬剤と嵌装部材とは袋体４０内の同一空間において別々に収容されているため、袋体４０内で歯磨き部を薬剤に浸すことができる。これにより、常に充分な量の薬剤を歯磨き部に供給することができる。ただし、袋体４０に収容された薬剤の全てが、嵌装部材に含浸又は付着した状態で袋体４０内に存在していてもよい。
【００５６】
上記実施形態において嵌装部材１０は、全体又は一部が網状に形成されていてもよい。かかる構造によれば、嵌装部材１０の伸縮性を高めることができる。嵌装部材２０，３０についても同様である。
【００５７】
上記実施形態においては、嵌装部材１０の先端部１０ａが閉塞されている場合を例示した。しかし、嵌装部材１０は、図１１に示すように、先端部１０ａが開放された筒状をしていてもよい。この場合、図１２に示すように、嵌装部材１０が嵌装された手指９０においては、指先が先端部１０ａから突出してもよい。嵌装部材２０，３０についても同様である。
【００５８】
上記実施形態においては、嵌装部材１０の外面に歯磨き部（吸水層１２）が設けられた場合を例示した。しかし、歯磨き部は、嵌装部材１０の内面に設けられてもよい。その場合、嵌装部材１０は、裏返した状態でも手指に嵌装することが可能である。つまり、嵌装部材１０を裏返してから手指に嵌装することにより、内面に設けられた歯磨き部で歯を磨くことができる。嵌装部材１０の内面は、使用前（嵌装部材が裏返される前）、外部に晒されている外面に比して、雑菌等が付着しにくい。それゆえ、かかる内面で歯を磨くことは、衛生上の観点から好ましい。なお、歯磨き部は、嵌装部材１０の外面又は内面の一方にのみ設けられてもよいし、外面及び内面の双方に設けられてもよい。嵌装部材２０，３０についても同様である。
【００５９】
上記実施形態においては、嵌装部材１０が複数の層（吸水層１２及び防水層１４）からなる場合を例示した。しかし、嵌装部材１０は、単一の層からなっていてもよい。その場合、例えば、嵌装部材１０の外面の全体又は一部に表面処理（例えば粗面化処理）を施すことにより、歯磨き部を形成してもよい。嵌装部材１０の材料としては、例えば、不織布、プラスチック又はラテックスを用いることができる。嵌装部材２０，３０についても同様である。
【００６０】
上記実施形態においては、嵌装部材２０及び嵌装部材３０が別体に設けられた場合を例示した。しかし、嵌装部材２０及び嵌装部材３０は、図１３に示すように、一体に設けられてもよい。同図において嵌装部材２０及び嵌装部材３０は、連結部材５０を介して互いに連結されている。連結部材５０は、一端が嵌装部材２０の後端部２０ｂに接続されるとともに、他端が嵌装部材３０の後端部３０ｂに接続されている。連結部材５０は、例えば、紐状又は帯状をしている。連結部材５０は、柔軟性及び伸縮性を有することが好ましい。
【００６１】
上記実施形態においては、口腔用の薬剤が液体状である場合を例示した。しかし、かかる薬剤は、ペースト状、ジェル状又は粉末状であってもよい。
【符号の説明】
【００６２】
１  口腔ケア具
２  口腔ケア具
３  口腔ケア具
１０  嵌装部材
１０ａ  先端部
１０ｂ  後端部
１２  吸水層（第１の層）
１４  防水層（第２の層）
２０  嵌装部材（第１の嵌装部材）
２０ａ  先端部
２０ｂ  後端部
２２  吸水層（第１の層）
２４  防水層（第２の層）
３０  嵌装部材（第２の嵌装部材）
３０ａ  先端部
３０ｂ  後端部
３２  吸水層（第１の層）
３４  防水層（第２の層）
４０  袋体
４２  開封予定部
４３  切り口
４４  ジッパー
５０  連結部材
９０  手指
【図１】
2017127655.tif 000003
【図２】
2017127655.tif 000004
【図３】
2017127655.tif 000005
【図４】
2017127655.tif 000006
【図５】
2017127655.tif 000007
【図６】
2017127655.tif 000008
【図７】
2017127655.tif 000009
【図８】
2017127655.tif 000010
【図９】
2017127655.tif 000011
【図１０】
2017127655.tif 000012
【図１１】
2017127655.tif 000013
【図１２】
2017127655.tif 000014
【図１３】
2017127655.tif 000015